(57)【要約】【課題】可搬式作業台の本体に中間足場板を連結して作業面積を拡大する場合、本体に連結する中間足場板が１種類ですみ、しかも縦横いずれの方向にも連結できて連結の作業性の向上が図れる可搬式作業台を得る。【解決手段】長方形状の天板３に梯子状の主脚を折り畳み可能に設けた作業台本体１ａと、該作業台本体１ａの天板３の長辺９側および／または短辺１０側に着脱自在に連結される長方形状の中間足場板８とで構成する可搬式作業台において、前記天板３の長辺９側および短辺１０側に中間足場板８との連結部である取付孔２を設け、中間足場板８の短辺１０側に天板３との連結部材である連結金物１３を設けるとともに長辺９側に天板３および他の中間足場板８との連結部である取付孔１４を設ける。【選択図】        図１
2004278085.tif 000002
【特許請求の範囲】
【請求項１】
長方形状の天板に梯子状の主脚を折り畳み可能に設けた作業台本体と、該作業台本体の天板の長辺側および／または短辺側に着脱自在に連結される長方形状の中間足場板とで構成する可搬式作業台において、前記天板の長辺側および短辺側に中間足場板との連結部を設け、中間足場板の短辺側に天板との連結部材を設けるとともに長辺側に天板および他の中間足場板との連結部を設けたことを特徴とする可搬式作業台。
【請求項２】
作業台本体の天板を長辺側が対向するように複数個配置し、対向する天板の長辺間に、天板と直交する方向に複数の中間足場板を配置し、該中間足場板の短辺側に設けた連結部材を天板の長辺側に設けた連結部に結合し、該中間足場板を介して天板を幅方向に連結することを特徴とする請求項１記載の可搬式作業台。
【請求項３】
中間足場板を長辺側が対向するように配置し、対向する中間足場板の長辺間に、この中間足場板と直交する方向に複数の別の中間足場板を配置して結合することを特徴とする請求項１記載の可搬式作業台。
【請求項４】
天板の長辺側の長さは、中間足場板の短辺側の長さの整数倍に形成することを特徴とする請求項１から請求項３のいずれかに記載の可搬式作業台。
【発明の詳細な説明】
【０００１】
【発明の属する技術分野】
本発明は、建設工事現場、建築物の天井や壁面などの内外装作業、電気配線作業等で使用する可搬式作業台に関するものである。
【０００２】
【従来の技術】
従来、かかる可搬式作業台１には、例えばアルミニウム合金製で、図１０に示すように長方形状の天板３の両端に梯子状の主脚４を折り畳み可能に設け、天板３または主脚４に手掛かり部材６を折り畳み可能に設け、また、天板３の長辺９側に手摺り１１を着脱自在に設けたものがある。
【０００３】
図中、５は梯子状の主脚４の踏み桟、７は天板３と踏み桟５との間に取り付けられたステイであり、可搬式作業台１はこのステイ７を折り曲げることで折り畳み、移動できるようになっている。１０は天板の短辺を示す。
【０００４】
このような可搬式作業台１は単体で使用できることはもちろんであるが、大きな作業面積を確保するには、例えば図１１に示すように、複数、例えば２台の可搬式作業台１を長手方向、すなわち直列方向に間隔をおいて配置し、２台の可搬式作業台１、１の間に縦用の中間足場板３１を介設して、２台の可搬式作業台１、１を長手方向に連結している。
【０００５】
また、さらに大きな作業面積を確保するには、図１２に示すように例えば４台の可搬式作業台１を使用し、このうちの２台の可搬式作業台１と横用の中間足場板３２とで作業台を２組形成し、この２組の作業台の間に縦用の中間足場板３１を３枚並べて配置する。
【０００６】
前記縦用の中間足場板３１は、縦列に連結されるものであることから、例えば図１４に示すように足場板本体の短辺側にアングル状の連結部材３３が取り付けられており、また、横用の中間足場板３２は横列に連結されるものであることから、例えば図１５に示すように足場板本体の長辺側にアングル状の連結部材３４が取り付けられており、この連結部材３３、３４に連結用のピン３６が設けてある。
【０００７】
そして、縦用の中間足場板３１や横用の中間足場板３２を天板３に連結するには、連結部材３３、３４に設けたピン３６を天板３の端部に形成してある取付孔３５に挿入して中間足場板３１、３２を天板３に連結する（例えば特許文献１参照）。
【０００８】
【特許文献１】
特開２００１−１５２６５９号公報
【０００９】
【発明が解決しようとする課題】
可搬式作業台の作業面積を拡大するために中間足場板を連結する場合、従来は、連結の方向によって縦用と横用の異なる種類の中間足場板を用意する必要があり、資材点数が多くなるだけでなく、連結方向を考慮して縦用と横用の中間足場板のいずれかを選択しなければならず、また、その際、作業現場の条件によって縦用と横用とで用意する中間足場板の数も決定する必要もあり、作業が煩雑になり連結作業性がよくなかった。
【００１０】
本発明の目的は前記従来例の不都合を解消し、可搬式作業台の本体に中間足場板を連結して作業面積を拡大する場合、本体に連結する中間足場板が１種類ですみ、しかも縦横いずれの方向にも連結できて連結の作業性の向上が図れる可搬式作業台を提供することにある。
【００１１】
【課題を解決するための手段】
本発明は前記目的を達成するため、第１に、長方形状の天板に梯子状の主脚を折り畳み可能に設けた作業台本体と、該作業台本体の天板の長辺側および／または短辺側に着脱自在に連結される長方形状の中間足場板とで構成する可搬式作業台において、前記天板の長辺側および短辺側に中間足場板との連結部を設け、中間足場板の短辺側に天板との連結部材を設けるとともに長辺側に天板および他の中間足場板との連結部を設けたことを要旨とするものである。
【００１２】
第２に、作業台本体の天板を長辺側が対向するように複数個配置し、対向する天板の長辺間に、天板と直交する方向に複数の中間足場板を配置し、該中間足場板の短辺側に設けた連結部材を天板の長辺側に設けた連結部に結合し、該中間足場板を介して天板を幅方向に連結することを要旨とするものである。
【００１３】
第３に、中間足場板を長辺側が対向するように配置し、対向する中間足場板の長辺間に、この中間足場板と直交する方向に複数の中間足場板を配置して結合することを要旨とするものである。
【００１４】
第４に、天板の長辺側の長さは、中間足場板の短辺側の長さの整数倍に形成することを要旨とするものである。
【００１５】
請求項１記載の本発明によれば、作業台本体の天板の短辺側に設けた連結部に中間足場板の短辺側に設けた連結部材を連結することで、作業台本体の長手方向に中間足場板を直列に連結できる。また、作業台本体の天板の長辺側に設けた連結部に複数の中間足場板の短辺側に設けた連結部材を連結することで、作業台本体に対して直交する方向にも中間足場板を連結できる。
【００１６】
請求項２記載の本発明によれば、前記のような連結方法で対向する足場板本体の間に中間足場板を連結すれば、従来の横用の中間足場板を使用せずに、縦用の中間足場板だけで同様に作業足場の拡大が図れる。
【００１７】
請求項３記載の本発明によれば、作業台本体を使用しなくても同一タイプの中間足場板だけを直交する方向に複数組み合わせることで、作業足場を拡大できる。
【００１８】
請求項４記載の本発明によれば、前記作用に加えて、作業台本体の長辺側に中間足場板の短辺側を連結する場合に、複数の中間足場板を使用しても該中間足場板の幅の和が作業台本体の長辺側の長さに等しくなるから、連結箇所の縦横の長さが一致し、過不足が生じることがない。
【００１９】
【発明の実施の形態】
以下、図面について本発明の実施の形態を詳細に説明する。図１は本発明の可搬式作業台の実施形態を示す作業台本体の平面図、図２は同上斜視図、図３は本発明の可搬式作業台の実施形態を示す中間足場板の平面図で、本発明の可搬式作業台は図１、図２に示す作業台本体１ａと、図３に示す中間足場板８との組み合わせで構成する。
【００２０】
作業台本体１ａは、基本構成としては前記した図１０に示す従来の可搬式作業台１と同様であり、長方形状の天板３の両端に梯子状の主脚４を折り畳み可能に設け、天板３または主脚４に手掛かり部材６を折り畳み可能に設けたもので、図中、５は梯子状の主脚４の踏み桟、７は天板３と踏み桟５との間に取り付けられたステイであり、可搬式作業台１はこのステイ７を折り曲げることで折り畳み、移動できるようになっている。９は天板３の長辺、１０は短辺を示す。
【００２１】
かかる構成の作業台本体１ａの長辺９と短辺１０の側に、中間足場板８を連結するための取付孔２を形成する。取付孔２の形成部位は、中間足場板８に設けた後述の連結部材の取付間隔に等しくする。
【００２２】
中間足場板８は、図３、図４に示すように短辺１０の側に幅方向に足場板カバー１２を取り付け、該足場板カバー１２の両端部近傍に、下部に結合ピン１７を設けた板状の連結金物１３を突設した。
【００２３】
また、中間足場板８の長辺９の側には、他の中間足場板８に設けた連結金物１３を連結するための取付孔１４を設けておく。そして、中間足場板８の幅である短辺１０の側の長さは、その整数倍が作業台本体１ａの長辺９の側の長さに等しくなるように構成する。
【００２４】
図中１５は中間足場板８を作業台本体１ａや他の中間足場板８に連結したときの、浮き上がり防止金物を示し、前記連結金物１３、１３の中間に位置させて足場カバー１２の下部に取り付けたもので、図５、図６に示すように、軸１５ａを突設し、この軸１５ａに巻回したバネ１５ｂを介して押さえ板１５ｃを軸１５ａに上下にスライド可能で、かつ、水平方向に回動可能に取り付けた。この押さえ板１５ｃは、側面コ字形で前記バネ１５ｂにより上方に附勢されるもので、下部に位置する板体を隣接の作業台本体１ａや他の中間足場板８の下部に届くよう長尺に形成した。
【００２５】
かかる作業台本体１ａと中間足場板８とを使用して、例えば２台の作業台本体１ａを長手方向に連結するには、従来と同様に、図７に示すように、作業台本体１ａを長手方向、すなわち直列方向に間隔をおいて配置し、２台の作業台本体１ａ、１ａの間に中間足場板８を介設する。
【００２６】
そして、中間足場板８に取り付けてある連結金物１３に設けてある結合ピン１７を作業台本体１ａの短辺１０に形成してある取付孔２に上方から挿入して、中間足場板８を作業台本体１ａに連結し、これにより２台の作業台本体１ａ、１ａを長手方向に連結する。
【００２７】
この状態で、図１にも示すように連結金物１３が作業台本体１ａの上部に重合することで、中間足場板８に浮き上がろうとする力が作用するが、図５に示すように浮き上がり防止金物１５の押さえ板１５ｃを回動してその他端を作業台本体１ａの下面に当接することで、押さえ板１５ｃの下部の板体がバネ１５ｂの弾力により作業台本体１ａを上方に押圧し、作業台本体１ａに対する中間足場板８の浮き上がりを防止する。これにより、結合ピン１７が取付孔２から抜け出るおそれもなく、中間足場板８は作業台本体１ａに確実に固定される。
【００２８】
次に、２台の作業台本体１ａを幅方向、すなわち並列方向に間隔をおいて配置し、この間に中間足場板８を介設して、２台の作業台本体１ａ、１ａを幅方向に連結するには、図８に示すように、作業台本体１ａを直列方向に連結した場合に使用した中間足場板８と同一のものを使用し、対向する作業台本体１ａ、１ａの間に、該作業台本体１ａと直交する方向に中間足場板８を配置し、中間足場板８の短辺１０の側を作業台本体１ａの長辺９の側に当てがい、中間足場板８に設けてある連結金物１３を作業台本体１ａに形成してある取付孔２に結合する。
【００２９】
このようにして複数（図示の例では３枚）の中間足場板８を幅方向に並べて、対向する作業台本体１ａ、１ａの間に配設する。
【００３０】
さらに大きな作業面積を確保するには、図９に示すように、まず、図８に示した配置例の作業台本体１ａと中間足場板８との組み合わせによるものを２組用意し、この２組の作業台を対向させ、この間に、別の中間足場板８を介設して前記２組の作業台を連結する。
【００３１】
２組の作業台の連結方法は、対向する作業台本体１ａ、１ａの間に１枚の中間足場板８を長手方向に連結し、この連結された中間足場板８、８の間に別の中間足場板８をこれと直交する方向、すなわち、２組の作業台に既に組み込まれている３枚の中間足場板８と同じ並列方向に配置し、中間足場板８の短辺１０に設けてある連結金物１３を他の中間足場板８の長辺９に形成してある取付孔１４に結合する。
【００３２】
これにより、一種類の作業台本体１ａと一種類の中間足場板８の複数を組み合わせるだけで大きな作業面積の作業台が得られる。
【００３３】
【発明の効果】
以上述べたように本発明の可搬式作業台は、可搬式作業台の本体に中間足場板を連結して作業面積を拡大する場合、本体に対して中間足場板を縦横いずれの方向にも連結できるから、本体に連結する中間足場板が１種類ですみ、資材点数を軽減できるだけでなく、結合する中間足場板の種類を選択する必要がなく連結の作業性を向上できるものである。
【図面の簡単な説明】
【図１】本発明の可搬式作業台の実施形態を示す作業台本体の平面図である。
【図２】本発明の可搬式作業台の実施形態を示す作業台本体の斜視図である。
【図３】本発明の可搬式作業台の実施形態を示す中間足場板の平面図である。
【図４】本発明の可搬式作業台の実施形態を示す中間足場板の正面図である。
【図５】本発明の可搬式作業台の実施形態を示す中間足場板の浮き上がり防止機構部の側面図である。
【図６】本発明の可搬式作業台の実施形態を示す中間足場板の浮き上がり防止機構部の正面図である。
【図７】本発明の可搬式作業台の実施形態を示す本体を直列に連結する場合の斜視図である。
【図８】本発明の可搬式作業台の実施形態を示す本体を並列に連結する場合の斜視図である。
【図９】本発明の可搬式作業台の実施形態を示す本体を直列および並列に連結する場合の斜視図である。
【図１０】従来の可搬式作業台の斜視図である。
【図１１】従来の可搬式作業台の直列に連結する場合の斜視図である。
【図１２】従来の可搬式作業台の直列および並列に連結する場合の斜視図である。
【図１３】従来の可搬式作業台の天板と中間足場板との結合部の縦断側面図である。
【図１４】従来の可搬式作業台で使用する縦用の中間足場板の平面図である。
【図１５】従来の可搬式作業台で使用する横用の中間足場板の平面図である。
【符号の説明】
１…可搬式作業台                １ａ…作業台本体
２…取付孔                      ３…天板
４…主脚                        ５…踏み桟
６…手掛かり部材                ７…ステイ
８…中間足場板                  ９…長辺
１０…短辺                      １１…手摺り
１２…足場カバー                １３…連結金物
１４…取付孔                    １５…浮き上がり防止金物
１５ａ…軸                      １５ｂ…バネ
１５ｃ…押さえ板                １７…結合ピン
３１…縦用の中間足場板          ３２…横用の中間足場板
３３…連結部材                  ３４…連結部材
３５…取付孔                    ３６…ピン
【図１】
2004278085.tif 000003
【図２】
2004278085.tif 000004
【図３】
2004278085.tif 000005
【図４】
2004278085.tif 000006
【図５】
2004278085.tif 000007
【図６】
2004278085.tif 000008
【図７】
2004278085.tif 000009
【図８】
2004278085.tif 000010
【図９】
2004278085.tif 000011
【図１０】
2004278085.tif 000012
【図１１】
2004278085.tif 000013
【図１２】
2004278085.tif 000014
【図１３】
2004278085.tif 000015
【図１４】
2004278085.tif 000016
【図１５】
2004278085.tif 000017